(57)【要約】【課題】炊飯終了報知音を合理的に設定できる炊飯器を提供することを目的とする。【解決手段】鍋１を加熱する加熱手段４を駆動する駆動手段３と、前記鍋の温度を検知する温度検知手段５と、時間を計時する計時手段７と、前記温度検知手段からの入力や前記計時手段により前記駆動手段を制御して炊飯や保温の動作を制御する制御手段６と、報知音を鳴らす報知手段９と、炊飯終了直後に前記報知手段に炊飯終了報知音を鳴動させる炊飯終了お知らせ手段８と、使用者が操作するスイッチなどの入力手段１０と、前記入力手段からの入力により前記炊飯終了お知らせ手段に炊飯終了報知音を変更させる炊飯終了音変更手段とを具備した。炊飯終了音の変更は、音量、鳴動時間、鳴動パターン、周波数、鳴動回数などが考えられる。【選択図】図１
2009219738.tif 000002
【特許請求の範囲】
【請求項１】
本体に出入自在に設置され、蓋により上方解放部が開閉される鍋と、前記鍋を加熱する加熱手段と、前記加熱手段を駆動する駆動手段と、前記鍋の温度を検知する温度検知手段と、時間を計時する計時手段と、前記温度検知手段からの入力や前記計時手段により前記駆動手段を制御して炊飯や保温の動作を制御する制御手段と、報知音を鳴らす報知手段と、炊飯終了直後に前記報知手段に炊飯終了報知音を鳴動させる炊飯終了お知らせ手段と、使用者が操作するスイッチなどの入力手段と、前記入力手段からの入力により前記炊飯終了お知らせ手段に炊飯終了報知音を変更させる炊飯終了音変更手段とを具備した炊飯器。
【請求項２】
炊飯終了音変更手段は、炊飯終了報知音の音量を変更するように請求項１記載の炊飯器。
【請求項３】
炊飯終了音変更手段は、炊飯終了報知音の鳴動時間を変更するように請求項１記載の炊飯器。
【請求項４】
炊飯終了音変更手段は、炊飯終了報知音の鳴動パターンを変更するようにした請求項１記載の炊飯器。
【請求項５】
炊飯終了音変更手段は、炊飯終了報知音の周波数を変更するようにした請求項１記載の炊飯器。
【請求項６】
炊飯終了音変更手段は、炊飯終了報知音の鳴動回数を変更するようにした請求項１記載の炊飯器。
【発明の詳細な説明】
【技術分野】
【０００１】
本発明は、炊飯終了を報知音で報知するようにした炊飯器に関するものである。
【背景技術】
【０００２】
従来、炊飯器においては、炊飯終了時にブザーや表示等により炊飯終了報知を行っている（例えば、特許文献１参照）。
【０００３】
図１０はその具体的なもので、蓋１０１にて上方開放部が開閉される鍋１０２は駆動手段１０３で駆動される加熱手段１０４で加熱されるようにしてある。
【０００４】
鍋１０２の温度は温度検知手段１０５によって検知され、その検知結果、および計時手段１０６での計時結果にもとづき制御手段１０７が駆動手段１０３を駆動し、炊飯動作を制御している。
【０００５】
炊飯が終了すると炊飯終了お知らせ手段１０８が報知手段１０９に炊飯終了を報知させる。
【特許文献１】特開昭６２−１３３９１１号公報
【発明の開示】
【発明が解決しようとする課題】
【０００６】
炊飯終了時の報知音は一般的に長い時間鳴動させるのが常であるが、使用者による炊飯器使用条件は様々で、炊飯終了報知音が聞こえないことがあった。
【０００７】
また、一方では、炊飯終了報知音がうるさく感じられ、台所などの調理作業空間の環境を悪くする課題があった。
【課題を解決するための手段】
【０００８】
本発明は前記従来の課題を解決するもので、本体に出入自在に設置され、蓋により上方解放部が開閉される鍋と、前記鍋を加熱する加熱手段と、前記加熱手段を駆動する駆動手段と、前記鍋の温度を検知する温度検知手段と、時間を計時する計時手段と、前記温度検知手段からの入力や前記計時手段により前記駆動手段を制御して炊飯や保温の動作を制御する制御手段と、報知音を鳴らす報知手段と、炊飯終了直後に前記報知手段に炊飯終了報知音を鳴動させる炊飯終了お知らせ手段と、使用者が操作するスイッチなどの入力手段と、前記入力手段からの入力により前記炊飯終了お知らせ手段に炊飯終了報知音を変更させる炊飯終了音変更手段とを具備したもので、最適な炊飯終了報知を可能としたものである。
【発明の効果】
【０００９】
本発明の炊飯器は、炊飯終了時の報知音を使用者にとって適度な音に調整することができる使い勝手のよい炊飯器を得ることができるものである。
【発明を実施するための最良の形態】
【００１０】
本発明は、本体に出入自在に設置され、蓋により上方解放部が開閉される鍋と、前記鍋を加熱する加熱手段と、前記加熱手段を駆動する駆動手段と、前記鍋の温度を検知する温度検知手段と、時間を計時する計時手段と、前記温度検知手段からの入力や前記計時手段により前記駆動手段を制御して炊飯や保温の動作を制御する制御手段と、報知音を鳴らす報知手段と、炊飯終了直後に前記報知手段に炊飯終了報知音を鳴動させる炊飯終了お知ら
せ手段と、使用者が操作するスイッチなどの入力手段と、前記入力手段からの入力により前記炊飯終了お知らせ手段に炊飯終了報知音を変更させる炊飯終了音変更手段とを具備したもので、最適な炊飯終了報知を可能としたものである。
【００１１】
炊飯終了音変更手段の具体的な変更内容は、炊飯終了報知音の音量、鳴動時間、鳴動パターン、周波数、或いは鳴動回数を変更することが考えられる。
【００１２】
以下、本発明の実施の形態について、図面を参照しながら説明する。なお、この実施の形態によって本発明が限定されるものではない。
【００１３】
（実施の形態１）
図１において、鍋１は炊飯器内部に設置され、その上方開放部が蓋２で開閉されるようにしてある。
【００１４】
前記鍋１内の調理物、すなわち水と米は駆動手段３によって駆動される加熱手段４により加熱される。
【００１５】
鍋１の温度は温度検知手段５によって検知される。制御手段６は前記温度検知手段５での検知結果や計時手段７で計時している時間にもとづき前記駆動手段３を駆動させ、炊飯動作を制御している。
【００１６】
炊飯が終了すると炊飯終了お知らせ手段８が報知手段９に炊飯終了を報知させる。
【００１７】
スイッチなどの入力手段１０の入力を使って入力を行い、表示手段１１に設定用の表示を行うことによって、炊飯終了音量変更手段１２の炊飯終了時の報知音の音量を決定するようにしており、炊飯終了時に炊飯終了音量変更手段１２によって設定済みの音量にて炊飯終了時の報知音が鳴動するものである。
【００１８】
図２は炊飯器の全体構成を示し、電磁誘導式のものであれば、本体１３内の鍋１が誘導コイル１４により誘導発熱される。１５は基板であり、インバータ回路などが内蔵されているものである。１６は操作基板であり、表示部や操作部が設置されている。
【００１９】
図３は回路構成を示し、商用電源１７から交流電源が供給され、ダイオードブリッジ１８によって整流される。平滑コンデンサ１９、共振コンデンサ２０、スイッチング素子２１、誘導コイル１４よりなるインバータ回路により、高周波電力を発生させる。
【００２０】
電源ＩＣ２２は動作のための電源を各回路に供給している。インバータ回路はドライブＩＣ２３とＩＨ制御用ＩＣ２４によって駆動されている。サーミスタ２５によって鍋１の温度を検知する。
【００２１】
マイコン２６はサーミスタ２５などの様々な入力をもとにＩＨ制御用ＩＣ２４を制御することにより鍋１を発熱させ、炊飯を行っている。水晶発振子２７の発振によってマイコン２６内のタイマをカウントして計時を行っている。２８は設定用のスイッチ、２９は液晶表示素子である。
【００２２】
炊飯終了報知音量設定モードにおいてスイッチ２８にて音量を入力し、設定結果を液晶表示素子２９に表示することによって炊飯終了報知音量を設定する。
【００２３】
音による報知はマイコン２６が発振信号を出力し、他励式のブザー３０を鳴動させることで行っている。
【００２４】
抵抗３１と抵抗３２をマイコン２６にて切り替えることによって、ブザー３０に流れる電流値を変化させ、同ブザー３０の鳴動する音の大きさを変化させることができる。
【００２５】
制御手段６、炊飯終了お知らせ手段８、炊飯終了音量変更手段１２の動作はマイコン２６のプログラムによって行っている。
【００２６】
図４は操作部を示し、炊飯も何もしていない待機モードにて、コーススイッチ３３を押すことでメニューを早炊きにし、そして保温スイッチ３４を１０秒間押し続けることによって、炊飯終了報知音量設定モードになる。
【００２７】
すると、図４に示す音量設定モードの表示になり、液晶表示素子２９に表示する数字を変更することによって炊飯終了音量の変更を行う。
【００２８】
時スイッチ３５を押すことで表示される数字は大きくなり、分スイッチ３６を押すことで表示される数字は小さくなる。表示される数字が大きいほど炊飯終了時の報知音は大きくなり、表示される数字が小さいほど炊飯終了時の報知音は小さくなる。
【００２９】
なお、数字が０になると音量はゼロとなり、炊飯報知音は出なくなるものである。
【００３０】
表示された表示をスイッチ入力によって変えた瞬間に炊飯終了報知音が鳴動し、設定した音がどのくらいの音量の音かを確認することができる。
【００３１】
所定の数字になった後は、取消スイッチ３７を押すと、設定を記憶して炊飯終了報知音量設定モードが終了し、待機モードに戻る。
【００３２】
そして炊飯を行い、炊飯が終了すると設定した音量にて炊飯終了報知音が鳴動するものである。
【００３３】
なお、操作時と異なり、炊飯終了報知時には使用者は近くにいるとは限らないといったように、操作時と炊飯終了報知音を聞くときとは使用状況が異なることが多いので、炊飯終了報知音量設定モードでは、炊飯終了報知音の音量のみを変更し、その他の操作報知音の音量はそのままとする。
【００３４】
本実施の形態では表示を液晶表示素子２９で行ったが、ＬＥＤやネオンランプなど、他の表示素子で行っても同様の効果が得られることは言うまでもない。
【００３５】
（実施の形態２）
図５は実施の形態２を示し、実施の形態１における炊飯終了音量変更手段１２を炊飯終了音時間変更手段３８に置き換えたものである。
【００３６】
なお、それ以外の部分は図１のものと同じで、具体的説明は実施の形態１のものを援用する。
【００３７】
入力手段１０の入力を使って入力を行い、表示手段１１に設定用の表示を行うことによって、炊飯終了音時間変更手段３８の炊飯終了時の報知音の鳴動時間を、例えば１０秒鳴動させる、あるいは２０秒鳴動させるといったように設定し、炊飯終了時に炊飯終了音時間変更手段３８によって設定済みの鳴動時間の間だけ、炊飯終了時の報知音が鳴動するものである。
【００３８】
炊飯終了報知音の鳴動する長さを調整することによって、聞き損ねるからより長くしたい、また逆にうるさいから短くしたいといったように、使用者にとって適度な長さの炊飯終了報知音が実現できるものである。
【００３９】
（実施の形態３）
図６は実施の形態３を示し、実施の形態１における炊飯終了音量変更手段１２を炊飯終了音パターン変更手段３９に置き換えたものである。
【００４０】
なお、それ以外の部分は図１のものと同じで、具体的説明は実施の形態１のものを援用する。
【００４１】
入力手段１０の入力を使って入力を行い、表示手段１１に設定用の表示を行うことによって、炊飯終了音パターン変更手段３９の炊飯終了時の報知音の鳴動パターンを変え、炊飯終了時に炊飯終了音パターン変更手段３９によって設定済みの鳴動パターンにて炊飯終了時の報知音が鳴動するものである。
【００４２】
図７は炊飯終了報知音の鳴動パターンの例である。このように炊飯終了時の報知音の鳴動するパターンを変えることで、聞こえにくいから聞こえやすい鳴動パターンにしたい、また逆にうるさいから耳障りのしない鳴動パターンに変更したいといったように、使用者にとって心地よく聞こえる適度な炊飯終了報知音が実現できるものである。
【００４３】
（実施の形態４）
図８は実施の形態４を示し、実施の形態１における炊飯終了音量変更手段１２を炊飯終了音周波数変更手段４０に置き換えたものである。
【００４４】
なお、それ以外の部分は図１のものと同じで、具体的説明は実施の形態１のものを援用する。
【００４５】
入力手段１０の入力を使って入力を行い、表示手段１１に設定用の表示を行うことによって、例えば、炊飯終了報知音が高くて聞こえにくいから報知音の周波数を２ｋＨｚから１ｋＨｚにする、あるいは逆に炊飯終了報知音が低くて聞こえにくいから２ｋＨｚから４ｋＨｚにするといったように、炊飯終了音周波数変更手段４０の炊飯終了時の報知音の周波数を設定し、炊飯終了時に炊飯終了音周波数変更手段４０によって設定済みの周波数で報知手段９を鳴動させるものである。
【００４６】
炊飯終了報知音の高さを調整することによって、聞きにくいから音を高くしたい、あるいは音を低くしたいといったように、使用者にとって適度な炊飯終了報知音が実現できるものである。
【００４７】
（実施の形態５）
図９は実施の形態５を示し、実施の形態１における炊飯終了音量変更手段１２を炊飯終了音回数変更手段４１に置き換えたものである。
【００４８】
なお、それ以外の部分は図１のものと同じで、具体的説明は実施の形態１のものを援用する。
【００４９】
入力手段１０の入力を使って入力を行い、表示手段１１に設定用の表示を行うことによって、炊飯終了音回数変更手段４１の炊飯終了時の報知音の鳴動回数を設定する。
【００５０】
例えば、一度鳴動した後、数分おいてもう一度鳴動することによって聞き忘れを防止す
る、あるいは何度も鳴るのはうるさいので一度鳴動するともう鳴らないようにすると言ったように設定を行う。
【００５１】
このように炊飯終了報知音の鳴動する回数を設定することによって、聞き損ねるから何度も鳴らしたい、また逆に何度もなるとうるさいから回数を少なくしたいといったように、使用者にとって適度な炊飯終了報知音が実現できるものである。
【産業上の利用可能性】
【００５２】
以上のように本発明にかかる炊飯器は、炊飯終了時の報知音を使用者にとって適度な音に調整することができるもので、炊飯器以外の家庭電器機器にも広く利用できるものである。
【図面の簡単な説明】
【００５３】
【図１】本発明の実施の形態１における炊飯器のブロック図
【図２】本発明の実施の形態１における炊飯器の断面図
【図３】本発明の実施の形態１における炊飯器の回路図
【図４】本発明の実施の形態１における炊飯器の操作部の説明図
【図５】本発明の実施の形態２における炊飯器のブロック図
【図６】本発明の実施の形態３における炊飯器のブロック図
【図７】本発明の実施の形態３における炊飯器の炊飯終了報知音の鳴動パターン例を示す説明図
【図８】本発明の実施の形態４における炊飯器のブロック図
【図９】本発明の実施の形態５における炊飯器のブロック図
【図１０】従来の炊飯器のブロック図
【符号の説明】
【００５４】
１  鍋
２  蓋
３  駆動手段
４  加熱手段
５  温度検知手段
６  制御手段
７  計時手段
８  炊飯終了お知らせ手段
９  報知手段
１０  入力手段
【図１】
2009219738.tif 000003
【図３】
2009219738.tif 000004
【図５】
2009219738.tif 000005
【図６】
2009219738.tif 000006
【図７】
2009219738.tif 000007
【図８】
2009219738.tif 000008
【図９】
2009219738.tif 000009
【図１０】
2009219738.tif 000010
【図２】
2009219738.tif 000011
【図４】
2009219738.tif 000012